【手続補正書】
【提出日】平成16年5月31日(2004.5.31)
【手続補正１】
【補正対象書類名】明細書
【補正対象項目名】発明の名称
【補正方法】変更
【補正の内容】
【発明の名称】電気光学装置
【手続補正２】
【補正対象書類名】明細書
【補正対象項目名】特許請求の範囲
【補正方法】変更
【補正の内容】
【特許請求の範囲】
【請求項１】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項２】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する感光性の樹脂よりなる複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項３】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する熱硬化樹脂または紫外線硬化樹脂よりなる複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項４】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持するポリイミド、アクリル、ポリアミドまたはポリイミドアミドよりなる複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項５】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項６】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項７】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項８】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項９】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する感光性の樹脂よりなる流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１０】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する熱硬化樹脂または紫外線硬化樹脂よりなる流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１１】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持するポリイミド、アクリル、ポリアミドまたはポリイミドアミドよりなる流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１２】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１３】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する流線形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項１４】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する感光性の樹脂よりなる楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１５】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する熱硬化樹脂または紫外線硬化樹脂よりなる楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１６】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持するポリイミド、アクリル、ポリアミドまたはポリイミドアミドよりなる楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１７】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項１８】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する楕円状または多角形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項１９】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する感光性の樹脂よりなる複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項２０】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する熱硬化樹脂または紫外線硬化樹脂よりなる複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項２１】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持するポリイミド、アクリル、ポリアミドまたはポリイミドアミドよりなる複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項２２】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項２３】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する感光性の樹脂よりなる複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項２４】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持する熱硬化樹脂または紫外線硬化樹脂よりなる複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項２５】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタが形成された領域に形成されており、前記第１の基板と前記第２の基板との基板間隔を保持するポリイミド、アクリル、ポリアミドまたはポリイミドアミドよりなる複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項２６】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する感光性の樹脂よりなる流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項２７】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する熱硬化樹脂または紫外線硬化樹脂よりなる流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項２８】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持するポリイミド、アクリル、ポリアミドまたはポリイミドアミドよりなる流線形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項２９】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する感光性の樹脂よりなる楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項３０】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する熱硬化樹脂または紫外線硬化樹脂よりなる楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項３１】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持するポリイミド、アクリル、ポリアミドまたはポリイミドアミドよりなる楕円状または多角形状の複数のギャップ保持材と、
前記第１の基板の前記複数のギャップ保持材が形成された側に、前記複数のギャップ保持材を形成した後に設けられた第１の配向膜と、
前記第２の基板の前記第１の基板と対向する側に設けられた第２の配向膜と、
を備えたことを特徴とする電気光学装置。
【請求項３２】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する感光性の樹脂よりなる流線形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項３３】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する熱硬化樹脂または紫外線硬化樹脂よりなる流線形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項３４】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持するポリイミド、アクリル、ポリアミドまたはポリイミドアミドよりなる流線形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項３５】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する感光性の樹脂よりなる楕円状または多角形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項３６】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持する熱硬化樹脂または紫外線硬化樹脂よりなる楕円状または多角形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項３７】
複数の薄膜トランジスタと、前記複数の薄膜トランジスタに電気的に接続された複数の画素電極と、を有する第１の基板と、
前記第１の基板に対向して設けられた第２の基板と、
前記第１の基板の前記複数の薄膜トランジスタに信号を入力する信号線と選択線とが交差する領域に形成されており、前記第１の基板と前記第２の基板との基板間隔を保持するポリイミド、アクリル、ポリアミドまたはポリイミドアミドよりなる楕円状または多角形状の複数のギャップ保持材と、
前記第１の基板の前記複数のギャップ保持材が形成された側に、前記複数のギャップ保持材を形成した後に設けられた第１の垂直配向膜と、
前記第２の基板の前記第１の基板と対向する側に設けられた第２の垂直配向膜と、
を備えたことを特徴とする電気光学装置。
【請求項３８】
請求項１乃至請求項７、請求項９乃至請求項１２、請求項１４乃至請求項１７、請求項１９乃至請求項２１、請求項２６乃至請求項３１のいずれか一項において、
前記第１の配向膜及び前記第２の配向膜は、ポリイミドからなることを特徴とする電気光学装置。
【請求項３９】
請求項８、請求項１３、請求項１８、請求項２２乃至請求項２５、請求項３２乃至請求項３７のいずれか一項において、
前記第１の垂直配向膜及び前記第２の垂直配向膜は、ポリイミドからなることを特徴とする電気光学装置。
【請求項４０】
請求項１乃至請求項３９のいずれか一項において、
前記複数の画素電極は、ポリイミド膜上に形成されていることを特徴とする電気光学装置。
【請求項４１】
請求項１乃至請求項３９のいずれか一項において、
前記複数の画素電極は、ポリイミド膜上に形成され、
当該ポリイミド膜は、窒化珪素膜上に形成され、
当該窒化珪素膜は、酸化珪素膜上に形成されていることを特徴とする電気光学装置。
【請求項４２】
請求項１乃至請求項４１のいずれか一項において、
セルギャップは４〜６μｍであることを特徴とする電気光学装置。
【請求項４３】
請求項１乃至請求項４２のいずれか一項において、
前記第１の基板と前記第２の基板との間に、液晶材料と高分子の混合層を有することを特徴とする電気光学装置。
【請求項４４】
請求項１乃至請求項４３のいずれか一項において、
前記第２の基板にカラーフィルタを有することを特徴とする電気光学装置。
【請求項４５】
請求項１乃至請求項４４のいずれか一項において、
前記複数のギャップ保持材の配置密度は、４０〜１６０個／ｍｍ2であることを特徴とする電気光学装置。
【請求項４６】
請求項１乃至請求項４５のいずれか一項において、
前記複数の薄膜トランジスタは逆スタガ型であることを特徴とする電気光学装置。